(57)【要約】【課題】施設情報についてのユーザのニーズ（必要性や要求）を自動的に特定し、当該ニーズに応える施設情報を含む地図データを的確に更新するナビゲーション装置を提供する。【解決手段】ユーザの入力に応じて表示部３２に表示する施設情報を設定する表示施設設定部２４によって設定された表示施設が、表示施設記憶部２６に記憶される。更新情報取得部２８は、表示施設記憶部２６に記憶されている表示施設を参照し、更新対象とする施設を特定し、前記更新対象とする施設に関する更新情報を取得する。【選択図】図２
2011145260.tif 000002
【特許請求の範囲】
【請求項１】
施設情報を含む地図データを記憶する地図データ記憶部と、
前記施設情報を表示する表示部と、
ユーザの入力に応じて前記表示部に表示する施設情報を設定する表示施設設定部と、
前記表示施設設定部によって設定された表示施設を記憶する表示施設記憶部と、
前記施設情報の更新情報を取得する更新情報取得部と、
前記更新情報取得部によって取得された前記更新情報を用いて、前記地図データ記憶部の前記施設情報を更新する地図データ更新部と、
を有するナビゲーション装置であって、
前記更新情報取得部は、
前記表示施設記憶部に記憶されている前記表示施設を参照して、更新対象とする施設を特定し、前記更新対象とする施設に関する更新情報を取得する
ことを特徴とするナビゲーション装置。
【請求項２】
請求項１記載のナビゲーション装置において、
前記更新情報取得部は、
前記更新情報を外部から取得する
ことを特徴とするナビゲーション装置。
【発明の詳細な説明】
【技術分野】
【０００１】
この発明は、位置情報と連動したデジタルコンテンツである施設情報、いわゆるＰＯＩ（Ｐｏｉｎｔ  Ｏｆ  Ｉｎｔｅｒｅｓｔ）情報の更新を的確に行うナビゲーション装置に関する。
【背景技術】
【０００２】
従来から、ナビゲーション装置の地図データ記憶部に記憶された施設情報を含む地図データを参照し、表示器上に前記施設情報を表示するナビゲーション装置が提案されている（特許文献１、２、３）。
【０００３】
この場合、施設情報を含む地図データは、最新の情報を得るために、随時更新されることが好ましい。
【０００４】
しかし、全ての地図データを一度に更新しようとすると、ユーザにとって更新する必要のない地図データまでも更新されてしまうことから時間がかかり、通信コストも高くなるという問題がある。
【０００５】
特許文献１に係るナビゲーション装置では、ＰＯＩ検索頻度に基づいて、更新対象とするＰＯＩの施設種類を決定することで、必要な地図データのみを更新させることが記載されている（特許文献１の請求項３、［０００６］等の記載参照）。
【０００６】
また、特許文献２及び特許文献３に係るナビゲーション装置では、目的地の設定履歴とＰＯＳ検索履歴に基づいて、更新対象地域を特定することで必要な地図データのみを更新させること、及び過去に通過したエリアを地図更新対象エリアとして該エリアの最新地図データを通信により地図情報供給センタから受信し、該最新地図データで保持している古い地図データを更新することが記載されている（特許文献２の請求項４、［０００６］等の記載、並びに特許文献３の［０００５］等の記載参照）。
【先行技術文献】
【特許文献】
【０００７】
【特許文献１】特開２００６−１６２２７０号公報
【特許文献２】特開２００６−１６２２６９号公報
【特許文献３】特開２００５−１４７８６４号公報
【発明の概要】
【発明が解決しようとする課題】
【０００８】
上記した特許文献１〜３に開示された技術を採用することで、取得しようとする必要な地図データのデータ量を少なくすることができる。
【０００９】
しかしながら、上記従来技術に係るナビゲーション装置においては、一般に、ＰＯＩ情報の検索履歴が、例えば旅行先のホテルや観光施設などに集中することが多いことから、コンビニエンスストアやガソリンスタンドなど、車両に係わる生活に密接な必要情報が検索対象になりにくいという傾向が高い結果、施設情報中、車両に係わる生活に密接な必要情報が更新され難いという問題がある。
【００１０】
この発明はこのような課題を考慮してなされたものであり、施設情報についてのユーザのニーズ（必要性や要求）を自動的に特定し、当該ニーズに応える施設情報を含む地図データを的確に更新することを可能とするナビゲーション装置を提供することを目的とする。
【課題を解決するための手段】
【００１１】
この発明に係るナビゲーション装置は、施設情報を含む地図データを記憶する地図データ記憶部と、前記施設情報を表示する表示部と、ユーザの入力に応じて前記表示部に表示する施設情報を設定する表示施設設定部と、前記表示施設設定部によって設定された表示施設を記憶する表示施設記憶部と、前記施設情報の更新情報を取得する更新情報取得部と、前記更新情報取得部によって取得された前記更新情報を用いて、前記地図データ記憶部の前記施設情報を更新する地図データ更新部と、を有するナビゲーション装置であって、前記更新情報取得部は、前記表示施設記憶部に記憶されている前記表示施設を参照して、更新対象とする施設を特定し、前記更新対象とする施設に関する更新情報を取得することを特徴とする。
【００１２】
この発明によれば、更新情報取得部は、ユーザの入力に応じて表示部に表示する施設情報を設定する表示施設設定部によって設定された表示施設が、表示施設記憶部に記憶され、前記表示施設記憶部に記憶されている前記表示施設を参照して、更新対象とする施設を特定し、前記更新対象とする施設に関する更新情報を取得するようにしているので、ユーザのニーズに応える施設情報を含む地図データを更新することができる。
【００１３】
この場合、前記更新情報取得部は、前記更新情報を外部から取得するようにすることで、簡易に適当な時に更新情報を取得することができる。
【発明の効果】
【００１４】
この発明によれば、施設情報についてのユーザのニーズに応える施設情報を含む地図データを的確かつ簡易に更新することができる。
【図面の簡単な説明】
【００１５】
【図１】この実施形態に係るナビゲーション装置に収容された記憶部に記憶された地図データを更新する地図データ更新システムのシステム図である。
【図２】この実施形態に係るナビゲーション装置の詳細な構成を含む車両のブロック図である。
【図３】施設情報を含む地図データを更新する処理の説明に供されるフローチャートである。
【図４】図４Ａは、ディスクドライブに地図更新ディスクを挿入したときの表示説明図である。図４Ｂは、地図更新準備中の表示説明図である。図４Ｃは、地図更新中の表示説明図である。図４Ｄは、地図更新完了時の表示説明図である。
【図５】図５Ａは、ナビゲーション装置起動時の表示説明図である。図５Ｂは、更新情報が存在するときの表示説明図である。図５Ｃは、地図更新中の表示説明図である。図５Ｄは、地図更新完了時の表示説明図である。
【図６】図６Ａは、目的地設定時の表示説明図である。図６Ｂは、ＶＩＣＳ情報取得時の表示説明図である。図６Ｃは、更新情報が存在するときの表示説明図である。図６Ｄは、地図更新中の表示説明図である。図６Ｅは、地図更新完了時の表示説明図である。
【図７】図７Ａは、マーク／地図変更機能選択の表示説明図である。図７Ｂは、施設情報の設定例を説明する表示説明図である。図７Ｃは、特定の施設情報の設定の有無を説明する表示説明図である。
【図８】図８Ａは、ブランド設定（選択）時の表示説明図である。図８Ｂは、ブランド設定（選択）後の表示説明図である。
【図９】ジャンル設定（選択）時の表示説明図である。
【発明を実施するための形態】
【００１６】
以下、この発明の一実施形態に係るナビゲーション装置について図面を参照して説明する。
【００１７】
図１は、この実施形態に係るナビゲーション装置１０に収容されたハードディスク等の記憶部に記憶された地図データを更新する地図データ更新システム１４の構成例を示している。
【００１８】
この地図データ更新システム１４は、ナビゲーション装置１０及び通信端末１６を搭載した車両１２と、移動通信網１８と、地図データ（更新地図データ）が格納されたサーバ２１を備える地図データ配信センタ（更新地図データ配信センタともいう。）２０とから構成されている。
【００１９】
車両１２内のユーザの鞄あるいはポケット等に収納されている携帯電話等の通信端末１６は、例えば、無線でナビゲーション装置１０に接続されるとともに図示しない基地局を含む移動通信網１８を通じて地図データ配信センタ２０に無線接続される。この実施形態に係る通信端末１６は、電話機能とともにデータ通信機能を備える。
【００２０】
図２は、ナビゲーション装置１０の詳細な構成を含む車両１２のブロック図である。
【００２１】
図２から分かるように、ナビゲーション装置１０は、ナビゲーション装置本体１１と、このナビゲーション装置本体１１に接続される入力装置３４、ディスクドライブ（記録媒体読取装置）３５、表示部（モニタ、ディスプレイ）３２、スピーカ（音声出力装置）３６、ＧＰＳ装置３８、振動ジャイロ３９及び車速センサ４０と、を備える。通信端末１６は、ナビゲーション装置本体１１にＢｌｕｅｔｏｏｔｈにより無線で接続されている。通信端末１６とナビゲーション装置本体１１とを、有線で接続することもできる。
【００２２】
ここで、表示部３２は、後述する施設又は施設情報（ＰＯＩ情報）を地図上に表示する液晶表示器等から構成され、入力装置３４は、例えば、その表示部３２上のタッチスクリーン等により構成される。ディスクドライブ３５は、例えば、施設情報を含む地図データが記録された記録媒体であるＣＤ、ＤＶＤ、ＢＤ等の各ディスクを再生することができる。
【００２３】
ナビゲーション装置本体１１は、マイクロコンピュータを含む計算機であり、ＣＰＵ（中央処理装置）、メモリ（記憶部）であるＲＯＭ（ＥＥＰＲＯＭも含む。）、ＲＡＭ（ランダムアクセスメモリ）、及びＨＤＤ、その他、Ａ／Ｄ変換器、Ｄ／Ａ変換器等の入出力装置、及び計時手段としてのタイマ等を有しており、ＣＰＵがＲＯＭに記録されているプログラムを読み出し実行することで各種機能実現部（機能実現手段）、例えば制御部、演算部、処理部等として機能する。
【００２４】
この実施形態において、ナビゲーション装置本体１１は、記憶部として、施設情報を含む地図データを記憶する地図データ記憶部２２と、後述する表示施設設定部２４によって設定された表示施設を記憶する表示施設記憶部２６と、を備える。
【００２５】
また、ナビゲーション装置本体１１は、より具体的な機能実現部として、ユーザによる入力装置３４の操作入力に応じて表示部３２に表示する施設情報を設定する表示施設設定部２４と、施設情報の更新情報を取得する更新情報取得部２８と、更新情報取得部２８によって取得された更新情報を用いて、地図データ記憶部２２の施設情報を更新する地図データ更新部３０と、を有する。
【００２６】
ナビゲーション装置１０は、地図データ記憶部２２に記録されている地図データに基づいて、入力装置３４を通じてユーザにより設定された目的地までの推奨経路を探索し、その推奨経路に従って車両１２を誘導することにより、目的地までユーザを案内する。
【００２７】
地図データ更新システム１４では、図１に示すように、地図データ配信センタ２０においてサーバ２１から読み出されて地図データ配信センタ２０から送信され、移動通信網１８を経由し通信端末１６を通じて受信される地図データ（施設情報を含む地図データ）によって、ナビゲーション装置１０の地図データ記憶部２２に記憶されている地図データを部分的に更新することができる。
【００２８】
図２に示すように、ナビゲーション装置１０は、現在地検出装置（現在位置検出装置）４２を備える。現在地検出装置４２は、自車両１２の現在地を検出する装置であり、例えば、自車両１２の進行方位を検出する振動ジャイロ３９、車速を検出する車速センサ４０、ＧＰＳ衛星からのＧＰＳ信号を検出するＧＰＳ装置３８等から構成される。
【００２９】
ナビゲーション装置１０は、この現在地検出装置４２により検出された自車両１２の現在地に基づいて、推奨経路を探索するときの経路探索開始点を決定することができる。
【００３０】
地図データ配信センタ２０のサーバ２１及びナビゲーション装置１０の地図データ記憶部２２に記録されている地図データには、推奨経路を演算するために用いられる経路計算データや、交差点名称、道路名称など、推奨経路に従って自車両を目的地まで案内するために用いられる経路誘導データ、道路形状を表す道路データ、さらには海岸線や河川、鉄道、建物など、道路以外の地図形状を表す背景データなどが含まれている。
【００３１】
また、サーバ２１及び地図データ記憶部２２に記録されている地図データには、施設情報（ＰＯＩ）の名称や位置、ジャンル（種類）、電話番号などを表す施設情報（ＰＯＩデータともいう。）も、地図データの中に含まれている。
【００３２】
前記道路データにおいて、道路区間を表す最小単位はリンクと呼ばれている。すなわち、各道路は所定の道路区間ごとに設定された複数のリンクによって構成されている。なお、リンクによって設定される道路区間の長さは異なっており、リンクの長さは一定ではない。リンク同士を接続している点はノードと呼ばれ、このノードはそれぞれに位置情報（座標情報）を有している。また、リンク内にはノードとノードの間に形状補間点と呼ばれる点が設定されていることもある。形状補間点もノードと同じく、それぞれに位置情報（座標情報）を有している。このノードと形状補間点の位置情報によって、リンク形状、すなわち道路の形状が決定される。経路計算データには、上記の各リンクに対応して、自車両の通過所要時間を表すためのリンクコストと呼ばれる値が設定されている。
【００３３】
上述したように入力装置３４におけるユーザの操作によって目的地が設定されると、現在地検出装置４２により検出された現在地を経路探索開始点として、設定された目的地までの経路演算が経路計算データに基づいて所定のアルゴリズムにより行われ、目的地までの経路が求められる。そして、求められた推奨経路付近の地図が表示部３２に表示され、推奨経路に従って右左折の指示などが適宜行われる。
【００３４】
基本的には以上のように構成されかつ動作するナビゲーション装置１０について、次に、図３のフローチャートを参照し、施設情報を含む地図データを更新する処理について説明する。
【００３５】
ステップＳ１において、地図データの更新処理が開始される。この地図データの更新処理の開始トリガは、この実施形態では、第１に、ディスクドライブ３５へのＣＤ、ＤＶＤ、ＢＤ等の地図データが記録されたディスクの挿入をトリガとする。第２に、ナビゲーション装置１０の起動時をトリガとする。第３に、目的地の設定時をトリガとする、の３つの形態が適用される。
【００３６】
第１に、ディスクドライブ３５に、地図更新ディスクが挿入されると、図４Ａに示すように、表示部３２中に、「地図更新ディスクが挿入されました  地図更新を実行しますか」と画面表示５０がなされ、「実行する」ボタンを押したときに、図４Ｂに示すように、「地図更新の準備をしています  ディスクを抜かないでください」との画面表示５２がなされる。
【００３７】
この画面表示５２がなされているとき、最新情報が存在することを条件として図３のステップＳ２以降の処理が実行される。
【００３８】
第２に、図示しないイグニッションスイッチ等の車両１２の起動スイッチがオフ状態からオン状態に操作され、ナビゲーション装置１０の主電源が、例えば自動的にオフ状態からオン状態にされると、図５Ａに示すように、表示部３２上に、自車両表示５４がなされた道路地図表示５６が表示される。
【００３９】
このとき、地図データ更新部３０は、通信端末１６及び移動通信網１８を通じて地図データ配信センタ２０にアクセスし、最新情報が存在するかどうかを確認する。
【００４０】
地図データ配信センタ２０は、サーバ２１内に最新情報が存在する場合には、すなわち、ナビゲーション装置１０の施設情報を含む地図データに関し、前回アクセス時以降での最新情報（更新情報）が存在する場合には、その旨を、移動通信網１８及び通信端末１６を通じてナビゲーション装置１０に通知する。
【００４１】
このとき、図５Ｂに示すように、表示部３２中に「最新の情報がありました  地図更新を実行しますか」と画面表示５８がなされ、「実行する」ボタンを押したときに、図３のステップＳ２以降の処理が実行される。なお、最新情報が存在しない場合には、地図データ更新処理は終了する。
【００４２】
第３に、入力装置３４を、公知の要領にて操作して、図６Ａに示すように、目的地６２を設定し、案内開始ボタン６４を押したときに、表示部３２中に、図６Ｂに示すように、「情報センタに接続し、目的地周辺のＶＩＣＳ情報（交通情報）を取得中です」と画面表示６６がなされ、ＶＩＣＳ情報の取得と同時に、更新情報取得部２８は地図データ配信センタ２０にアクセスし、最新情報が存在するかどうかを確認する。最新情報が存在しない場合には、地図データ更新処理は終了する。
【００４３】
最新情報が存在する場合には、図６Ｃに示すように、表示部３２中に、「目的地周辺に最新の情報がありました  地図更新を実行しますか」と画面表示６８がなされ、「実行する」ボタンを押したときに、図３のステップＳ２以降の処理が実行される。
【００４４】
次に、ステップＳ２において、更新情報取得部２８は、表示施設記憶部２６に、表示施設設定部２４によって設定された施設情報である表示施設が記憶されているかどうかを確認する。
【００４５】
この場合、表示施設設定部２４による表示部３２に表示する施設情報の設定は、ナビゲーション装置１０でマーク／地図変更機能が選択されると、図７Ａに示すように、表示部３２に、施設マーク表示ボタン７０が表示され、施設マーク表示ボタン７０が押される（ユーザの入力）と、図７Ｂに示すように、表示部３２の地図上に表示される施設情報である施設マークの地図上への表示有無の確認表示７２が表示される。
【００４６】
施設マークは、ジャンル（種類）として、「ガソリンスタンド」、「コンビニ（コンビニエンスストア）」、「ファミリーレストラン」等が表示され、図７Ｃに、ジャンル「コンビニ」を選択例として示すように、各ジャンルに対して、表示の要否（「全表示する。」、「表示しない。」）を設定することができるようになっている。
【００４７】
また、図７Ｂにおいて、全て表示しないボタン７４を選択すると、全てのジャンルが「表示しない」に設定され、全て表示するボタン７６を選択すると、全てのジャンルが「全表示する」に設定される。
【００４８】
図７Ｂに示す表示において、コンビニボタン７８を押すと、図７Ｃに示すように、ジャンル「コンビニ」に関し、全表示するボタン８０又は表示しないボタン８２を押すことで、表示しないかをジャンル別に個別に当該表示施設、この場合、コンビニのマーク（ブランド）の表示部３２の地図上への表示の有無を設定することができる。
【００４９】
図７Ｃに示す表示において、マーク選択ボタン８４を押すと、図８Ａに示すように、表示部３２に、ブランド選択表示８６が表示される。
【００５０】
この場合、各社のブランド名（「Ａ社ブランド名」等）と、ブランドマーク（「Ａ」等）が、表示されている。ブランド名の表示、例えばＡ社ブランド名ボタン８８を押すことで、表示部３２の地図上に表示したい施設情報のブランドを選択することができる。そして、設定終了ボタン９０を押すことで、図８Ｂの「コンビニ」の表示欄に示すように、選択したブランドが、例えば「Ａ、Ｂ、Ｃ」と表示される。このとき、選択したブランド、すなわち、表示部３２の地図上に表示する施設情報が、表示施設記憶部２６に自動的に記憶される。
【００５１】
なお、図７Ｃに示す表示において、全表示するボタン８０に押したときには、図９の「コンビニ」の表示欄に示すように、ジャンル「コンビニ」の全ブランド「Ａ、Ｂ、Ｃ、…」が施設情報として表示部３２の地図上に表示する表示施設として、表示施設記憶部２６に自動的に記憶される。
【００５２】
ステップＳ２の表示施設設定の有無判定において、表示施設記憶部２６に、表示施設が何も記録されていないとき、換言すれば、図７Ｂに示す表示において、全て表示しないボタン７４が押されていたときには、ステップＳ３において、実際には、全てのジャンルの施設情報が更新される。しかし、この更新は、ユーザにとって必要ではないデータも取得され更新されるので、ステップＳ４の更新終了までに相当の時間がかかり、好ましくない。
【００５３】
その一方、ステップＳ２の判定において、表示施設記憶部２６に表示施設設定部２４によって設定された表示施設が記録されていたときには、ステップＳ５において、表示施設記憶部２６に設定されている（記録されている）ジャンル数をカウントする（計数する）。ここでは、ジャンル数の計数合計値をＮとし、ステップＳ６において、設定されている表示施設のみの更新処理を行う、換言すれば、必要なデータのみを取得するため、そのプログラム実行のためのパラメータＸをＸ←０に設定する。
【００５４】
例えば、図９に示すように、表示施設記憶部２６に、ジャンル「コンビニ」とジャンル「ファーストフード」が全表示すると記録されていた場合、計数合計値Ｎは、Ｎ＝２になる。
【００５５】
そして、ステップＳ７において、パラメータＸがＸ＝Ｎになったかどうかが判定される。最初にステップＳ７を実行するときには、この判定は成立しないので、更新情報取得部２８は、ステップＳ８において、選択された（設定された）ジャンル中で、ブランド名が選択されているかどうかを、表示施設記憶部２６に記憶されている表示施設を参照して確認し、更新対象とする施設を特定する。具体的には、図８Ｂに示すように、ジャンル「コンビニ」でブランド名「Ａ、Ｂ、Ｃ」が選択（設定）されていた場合には、ステップＳ９において、地図データ更新部３０は、選択されたブランドＡ、Ｂ、Ｃの施設情報のみを含む地図データを更新する。
【００５６】
その一方、ブランドの選択がなかった場合、この場合、図９に示すように、ジャンル「コンビニ」とジャンル「ファーストフード」が「全表示する」に選択（設定）されていた場合には、選択されているジャンル、ここでは、「コンビニ」と「ファーストフード」の全ての施設情報を含む地図データを更新する。
【００５７】
そして、ステップＳ１１において、パラメータＸをＸ←Ｘ＋１と、「１」更新し、ステップＳ７の判定を行う。このようにして、Ｘ＝Ｎとなったときに、ステップＳ７の判定が終了し、計数合計値Ｎのジャンル数の地図更新は終了したので、ステップＳ４において、更新終了処理を行う。
【００５８】
なお、ステップＳ５→Ｓ６→Ｓ７；ＮＯ→Ｓ８→Ｓ９又はＳ１０→Ｓ１１→Ｓ７の処理を繰り返しているとき、すなわち施設情報を含む地図の更新中には、図４Ｃ、図５Ｃ、又は図６Ｄに示す地図更新中の表示９１（ここでは、２％まで更新済みである表示がなされている。）が表示部３２上になされ、ステップＳ４の更新終了時には、図４Ｄ、図５Ｄ又は図６Ｅに示す「地図更新が完了しました」の画面表示９２がなされる。
【００５９】
実際上、図５Ｂに示すナビゲーション装置１０の起動時において地図情報の更新処理を実行する際、及び図６Ｂに示す目的地設定時において地図情報の更新処理を実行する際には、ナビゲーション装置１０に対する地図データ配信センタ２０による認証処理が実行され、認証がとれたときにのみ地図データの更新処理がなされるように構成されている。
【００６０】
以上説明したように上述した実施形態に係るナビゲーション装置１０は、施設情報（ＰＯＩ情報）を含む地図データを記憶する地図データ記憶部２２と、前記施設情報を表示する表示部３２と、ユーザの入力に応じて表示部３２に表示する施設情報を設定する表示施設設定部２４と、表示施設設定部２４によって設定された表示施設を記憶する表示施設記憶部２６と、前記施設情報の更新情報を取得する更新情報取得部２８と、更新情報取得部２８によって取得された前記更新情報を用いて、地図データ記憶部２２の前記施設情報を更新する地図データ更新部３０と、を有するナビゲーション装置１０であって、更新情報取得部２８は、表示施設記憶部２６に記憶されている前記表示施設を参照して、更新対象とする施設を特定し、前記更新対象とする施設に関する更新情報を取得するようにしている。
【００６１】
このように、ユーザの入力に応じて表示部３２に表示する施設情報を設定する表示施設設定部２４によって設定された表示施設の設定履歴が表示施設の設定を監視する表示施設設定監視機能を有する表示施設記憶部２６（表示施設設定監視部と表示施設設定記憶部の機能を有する）によって監視され、表示施設（新規設定の表示施設、更新設定の表示施設、又は削除された表示施設）の設定履歴に応じた表示施設が、表示施設記憶部２６に記憶される。そして、更新情報取得部２８は、地図データの更新処理の開始トリガがあったとき、自動的に表示施設記憶部２６に記憶されている表示施設を参照して、更新対象とする施設を特定し、地図更新ディスク又は地図データ配信センタ２０から前記更新対象とする施設に関する更新情報を自動的に取得するようにしているので、ユーザのニーズに応える施設情報を含む地図データを自動的に更新することができる。
【００６２】
この場合、更新情報取得部２８は、表示施設設定部２４により表示部３２に表示する施設情報が設定されたとき、表示施設設定部２４によって設定された表示施設を表示施設記憶部２６に自動的に記憶させるようになっているので、施設情報についてのユーザのニーズを自動的に特定することができる。
【００６３】
このように制御することで、例えば旅行先のホテルや観光施設などはもちろんのこと、通常では、検索対象となりにくいコンビニエンスストアやガソリンスタンドなど、車両に係わる生活に密接な必要情報が適宜、かつ的確に更新される。
【００６４】
なお、更新情報取得部２８は、ナビゲーション装置１０の起動時や目的地設定時に、前記更新情報をデータ通信により外部から自動的に取得するようになっているので、簡易に更新情報を取得することができる。
【００６５】
すなわち、上述した実施形態によれば、施設情報についてのユーザのニーズ（必要性や要求）を表示施設記憶部２６の表示施設設定内容により自動的に特定し、当該に応える施設情報を含む地図データを的確かつ簡易に更新することができる。
【００６６】
なお、この発明は、上述の実施形態に限らず、この明細書の記載内容に基づき、種々の構成を採り得ることはもちろんである。
【符号の説明】
【００６７】
１０…ナビゲーション装置              １１…ナビゲーション装置本体
１２…車両                            １４…地図データ更新システム
１６…通信端末                        １８…移動通信網
２０…地図データ配信センタ            ２１…サーバ
２２…地図データ記憶部                ２４…表示施設設定部
２６…表示施設記憶部                  ２８…更新情報取得部
３０…地図データ更新部                ３２…表示部
３４…入力装置                        ３５…ディスクドライブ
４２…現在地検出装置
【図１】
2011145260.tif 000003
【図２】
2011145260.tif 000004
【図３】
2011145260.tif 000005
【図４】
2011145260.tif 000006
【図５】
2011145260.tif 000007
【図６】
2011145260.tif 000008
【図７】
2011145260.tif 000009
【図８】
2011145260.tif 000010
【図９】
2011145260.tif 000011